(57)【特許請求の範囲】
【請求項１】
光源と、
前記光源から出射される光を導く導光板であって、前記光源に対向して配置され前記光源からの光が入光される入光端部と、前記入光端部から該導光板に入光された前記光源からの光が出光される出光端部と、前記入光端部と前記出光端部とをつなぐ面に略平行に配置される面であって複数のドットで構成されるドットパターンが形成されるドット形成面と、該導光板における前記ドット形成面と反対側の面であって前記光源からの光が前記ドットパターンに反射されて出光される出光面と、を有する導光板と、を備え、
前記出光面から出光される光は、第１被表示部材を照射しており、
前記出光端部から出光される光は、第２被表示部材を照射しており、
前記ドットパターンは、前記導光板における前記入光端部から前記出光端部までにおいて、最大ドット開始位置に向かうにしたがって前記ドットの径が大きくなると共に、前記最大ドット開始位置から前記出光端部までは前記ドットの径が略一定である
表示装置。
【請求項２】
前記最大ドット開始位置は、前記入光端部からの距離が、前記入光端部から前記出光端部までの距離の８０〜８５％の距離の位置である
請求項１に記載の表示装置。
【請求項３】
前記第２被表示部材が表示される面は、前記ドット形成面と同一平面上の仮想平面に対して、導光板側とは反対側に、所定距離離間して配置される
請求項１又は２に記載の表示装置。
【請求項４】
前記第１被表示部材は、固定情報が表示される透明及び／又は半透明のシートであり、該第１被表示部材が表示される面とは反対の面側から、前記出光面から出光される光に照射されることにより表示され、
前記第２被表示部材は、可変情報が表示される電子ペーパーであり、該第２被表示部材が表示される面側から、前記出光端部から出光される光に照射されることにより表示される
請求項１から３のいずれかに記載の表示装置。
【発明の詳細な説明】
【技術分野】
【０００１】
本発明は、出光面から出光される面発光による光により第１被表示部材を照射すると共に、出光端部から出光される光により第２被表示部材を照射する表示装置に関する。
【背景技術】
【０００２】
従来より、光源と、入光端部及び出光面を有する導光板と、を備える表示装置が知られている（例えば、特許文献１参照）。特許文献１に記載の表示装置は、導光板における出光面と反対側の面にドットパターンが形成されており、光源から出射される光が入光端部から導光板に入光され、導光板を導かれる光がドットパターンに反射されることで、出光面から出光されて面発光する。特許文献１に記載の表示装置は、ドットパターンの径が光源から遠ざかるほど大きくなるように形成されており、出光面から出光される面発光による光により被表示部材の全体を略均一に照射できるとされる。
【先行技術文献】
【特許文献】
【０００３】
【特許文献１】実開平６−７６９３５号公報
【発明の概要】
【発明が解決しようとする課題】
【０００４】
ところで、光源と、入光端部、出光端部及び出光面を有する導光板と、を備える表示装置がある。出光端部を有する表示装置は、導光板における出光面と反対側の面にドットパターンが形成されており、ドットパターンからの反射により出光面から出光される面発光による光により第１被表示部材を照射すると共に、出光端部側から出光される光により第２被表示部材を照射することができる。このような出光端部を有する表示装置においては、導光板に形成されるドットパターンについて、出光面から出光される光の照度を高くすると共に出光面から出光される光の照度ムラを抑制しつつ、出光端部から出光される光の照度を高くすることができるドットパターンが形成されることが望まれるが、従来、ドットパターンについて考慮されているものは提案されていなかった。
【０００５】
本発明は、ドットパターンを有する導光板を備える表示装置において、出光面から出光される光の照度を高くすると共に出光面から出光される光の照度ムラを抑制しつつ、出光端部から出光される光の照度を高くすることができるドットパターンを有する導光板を備える表示装置を提供することを目的とする。
【課題を解決するための手段】
【０００６】
本発明は、光源と、前記光源から出射される光を導く導光板であって、前記光源に対向して配置され前記光源からの光が入光される入光端部と、前記入光端部から該導光板に入光された前記光源からの光が出光される出光端部と、前記入光端部と前記出光端部とをつなぐ面に略平行に配置される面であって複数のドットで構成されるドットパターンが形成されるドット形成面と、該導光板における前記ドット形成面と反対側の面であって前記光源からの光が前記ドットパターンに反射されて出光される出光面と、を有する導光板と、を備え、前記出光面から出光される光は、第１被表示部材を照射しており、前記出光端部から出光される光は、第２被表示部材を照射しており、前記ドットパターンは、前記導光板における前記入光端部から前記出光端部までにおいて、最大ドット開始位置に向かうにしたがって前記ドットの径が大きくなると共に、前記最大ドット開始位置から前記出光端部までは前記ドットの径が略一定である表示装置に関する。
【０００７】
また、前記最大ドット開始位置は、前記入光端部からの距離が、前記入光端部から前記出光端部までの距離の８０〜８５％の距離の位置であることが好ましい。
【０００８】
また、前記第２被表示部材が表示される面は、前記ドット形成面と同一平面上の仮想平面に対して、導光板側とは反対側に、所定距離離間して配置されることが好ましい。
【０００９】
また、前記第１被表示部材は、固定情報が表示される透明及び／又は半透明のシートであり、該第１被表示部材が表示される面とは反対の面側から、前記出光面から出光される光に照射されることにより表示され、前記第２被表示部材は、可変情報が表示される電子ペーパーであり、該第２被表示部材が表示される面側から、前記出光端部から出光される光に照射されることにより表示されることが好ましい。
【発明の効果】
【００１０】
本発明によれば、ドットパターンを有する導光板を備える表示装置において、出光面から出光される光の照度を高くすると共に出光面から出光される光の照度ムラを抑制しつつ、出光端部から出光される光の照度を高くすることができるドットパターンを有する導光板を備える表示装置を提供することができる。
【図面の簡単な説明】
【００１１】
【図１】本発明の一実施形態に係る第１表示装置２を備える避難誘導表示装置１の正面図である。
【図２】図１におけるＡ−Ａ線断面図であって、本発明の第１表示装置２を拡大した断面図である。
【図３】本実施形態における導光板２２のドット形成面２２３に形成されるドットパターンＤの概略を示す図である。
【図４】本実施形態における導光板２２のドット形成面２２３に形成されるドットパターンＤを示すグラフである。
【図５】比較例のドットパターンを示すグラフであって、（ａ）は比較例１のドットパターンＤを示すグラフであり、（ｂ）は比較例２のドットパターンＤを示すグラフであり、（ｃ）は比較例３のドットパターンＤを示すグラフである。
【図６】実施例のドットパターンを示すグラフであって、（ａ）は実施例２のドットパターンＤを示すグラフであり、（ｂ）は実施例３のドットパターンＤを示すグラフである。
【発明を実施するための形態】
【００１２】
以下、本発明の実施形態について、図面を参照しながら説明する。図１は、本発明の一実施形態に係る第１表示装置２を備える避難誘導表示装置１の正面図である。図２は、図１におけるＡ−Ａ線断面図であって、本発明の第１表示装置２を拡大した断面図である。図３は、本実施形態における導光板２２のドット形成面２２３に形成されるドットパターンＤの概略を示す図である。図４は、本実施形態における導光板２２のドット形成面２２３に形成されるドットパターンＤを示すグラフである。
【００１３】
本実施形態に係る避難誘導表示装置１は、地面等に立設された自立式の表示装置であって、例えば、災害時等に避難を誘導するための情報を表示する表示装置として用いられる。
図１に示すように、本実施形態に係る避難誘導表示装置１は、表示装置としての第１表示装置２と、第２表示装置３と、ハウジング４と、支持台５と、を備える。ハウジング４は、底部において支持台５に支持される。第１表示装置２及び第２表示装置３は、ハウジング４に取り付けられている。第１表示装置２は、避難誘導表示装置１の上方側に配置される。第２表示装置３は、避難誘導表示装置１の下方側に配置される。
【００１４】
第１表示装置２は、第１被表示部材としてのメディアシートＭ（後述）を照射すると共に、第２被表示部材としての電子ペーパーＥ（後述）を照射する装置である。
第１表示装置２は、図１及び図２に示すように、光源２１と、導光板２２と、拡散板２３と、反射シート２４と、光源ケース２５と、弾性部材２６と、背面板２７と、内枠体３１と、外枠体３２と、を備える。
【００１５】
光源２１は、ライン状に配列された複数のＬＥＤ（Ｌｉｇｈｔ  Ｅｍｉｔｔｉｎｇ  Ｄｉｏｄｅ）が取り付けられたＬＥＤユニットから構成される。複数のＬＥＤは、後述する導光板２２の一方側の端部に形成される入光端部２２１に沿って水平方向に直線状に配列されている。光源２１は、複数のＬＥＤにより光を発する。なお、光源２１としては、ＬＥＤを例示したが、冷陰極管などの発光ダイオード以外のものが使用されてもよい。
【００１６】
光源２１により発せられた光は、導光板２２の入光端部２２１（後述）から導光板２２の内部に入光される。光源２１への電力の供給は、例えば、太陽光により発電する太陽光発電装置などを設け、この太陽光発電装置で発電された電力を蓄電池等に蓄電しておき、蓄電池等に蓄電された電力が光源２１へ供給されることで行われる。
【００１７】
導光板２２は、図２に示すように、光源２１に近接又は当接して配置される。本実施形態においては、導光板２２は、光源２１の下方側に配置される。導光板２２は、所定の厚みを有する略長方形状の板状に形成される。導光板２２は、光源２１から発せられて導光板２２の内部に入光された光を一方側の端部（入光端部２２１（後述））から他方側の端部（出光端部２２２（後述））へ導く。本実施形態においては、導光板２２は、上下方向に延びる板状に形成されている。導光板２２は、アクリル等の透過性の高い部材から形成される。本実施形態においては、導光板２２の大きさは、例えば、入光端部２２１から出光端部２２２までの長さが４００ｍｍであり、入光端部２２１及び出光端部２２２に沿う方向の長さが３００ｍｍである。
【００１８】
導光板２２は、入光端部２２１と、出光端部２２２と、ドット形成面２２３と、出光面２２４と、を有する。
【００１９】
入光端部２２１は、導光板２２における光源２１側の一方の端面により構成される。本実施形態においては、入光端部２２１は、導光板２２の上方側の端部において、水平方向に直線状に延びる導光板２２の上端面により構成される。入光端部２２１は、光源２１に対向して配置される。入光端部２２１には、光源２１から出射された光が入光される。
【００２０】
出光端部２２２は、導光板２２における入光端部２２１とは反対側の他方の端面により構成される。本実施形態においては、出光端部２２２は、導光板２２の下方側の端部において、水平方向に直線状に延びる導光板２２の下端面により構成される。出光端部２２２からは、入光端部２２１から導光板２２に入光された光源２１からの光が出光される。出光端部２２２から出光される光源２１からの光は、出光端部２２２から外部に向けて照射される。導光板２２の出光端部２２２の下方側には、後述する電子ペーパーＥが配置される。電子ペーパーＥは、上下方向（鉛直方向）に延びるシート状に形成される。本実施形態においては、電子ペーパーＥは、例えば、２００ｍｍ（縦）×２４０ｍｍ（横）の長方形のシート状に形成されている。
【００２１】
出光端部２２２から出光される光は、第２被表示部材としての電子ペーパーＥを照射する。電子ペーパーＥは、導光板２２の出光端部２２２側に、出光端部２２２から、下方側に距離Ｌ２だけ離間して配置されている。本実施形態においては、図２に示すように、例えば、距離Ｌ２は２０ｍｍである。電子ペーパーＥは、出光端部２２２の下方側に、導光板２２のドット形成面２２３（後述）と同一平面上の仮想平面と略平行に配置される。電子ペーパーＥには、可変情報が表示される。
【００２２】
電子ペーパーＥは、図２に示すように、導光板２２のドット形成面２２３（後述）と同一平面上の仮想平面に対して、導光板２２側とは反対側に、所定距離離間して配置される。本実施形態においては、ドット形成面２２３と同一平面上の仮想平面に対して、導光板２２と反対側に、水平方向に距離Ｌ１だけ離間して配置されている。本実施形態においては、図２に示すように、例えば、距離Ｌ１は２０ｍｍである。これにより、出光端部２２２から出射される光は、電子ペーパーＥを表面側（電子ペーパーＥが表示される面側）から照射する。このため、電子ペーパーＥは、表面側（電子ペーパーＥが表示される面側）から、出光端部２２２から出光される光に照射されることにより表示される。
【００２３】
電子ペーパーＥとしては、例えば、正及び／又は負に帯電した粒子を内蔵したマイクロカプセルを平面に配列させ、これを画素電極でサンドイッチ状に形成し、夫々の画素電極に正又は負の電圧を印加することによりマイクロカプセル内の粒子を電気泳動により移動させて画像を表示するマイクロカプセル型電気泳動方式、コレステリック液晶への電圧の印加により画像を表示する方式、電子粉流体を用いる方式、白部と黒部で帯電特性の異なる白黒に塗り分けられた帯電ビーズを用いてドライバ層の電荷によってこの粒子を回転させて表示を行う方式、有機エレクトロクロミック材料に電圧を印加して色を変化させて画像を形成する方式、濡れの強さをコントロールすることにより画像を形成するエレクトロウエッティング方式などが挙げられ、いずれの方式が用いられてもよい。電子ペーパーＥは、必要な電圧を画素に印加することで画像を形成すれば、その後において電圧をかけなくても半永久的に画像を保持できることから、画像の形成、保持に電力をほとんど必要としない極めて省エネルギー型の表示装置となる。
【００２４】
電子ペーパーＥへの画像表示及びその書き換えの態様について説明する。まず、災害が発生し、災害情報を表示する必要が生じた際には、例えば市役所などの行政機関の編集端末で画像データを作成し、この画像データをＰＨＳなどの無線通信手段を用いて送信する。画像データは、予め準備されているものであってもよい。各避難誘導表示装置には、無線受信装置、例えばＰＨＳが設置されており、この受信装置により画像信号が受信され、制御装置（不図示）を介して電子ペーパーＥへの画面書き込みが行われる。画面情報は、行政機関の編集端末からの情報の送信により随時書き換えられ、時々刻々変化する災害関連情報を適切に被災者に伝えることができる。災害関連情報は、特定の避難誘導表示装置への送信でもよいし、全避難誘導表示装置への一斉の送信でもよい。また、災害時に限らず、平時には行政機関からのお知らせなどが常時或いは必要に応じて表示されるように構成されてもよい。
【００２５】
出光面２２４は、導光板２２における２つの対向する略長方形状に広がる面のうち、面発光による光を出射する側の面である。出光面２２４は、導光板２２におけるドット形成面２２３（後述）と反対側の面である。出光面２２４は、入光端部２２１と出光端部２２２とをつなぐ面に略平行に配置される。出光面２２４からは、光源２１からの光がドット形成面２２３に形成されるドットパターンＤ（後述）に反射されて出光される。出光面２２４は、面状の光を出射することにより面発光する。出光面２２４側には、メディアシートＭが配置される。メディアシートＭは、上下方向（鉛直方向）に延びるシート状に形成される。
【００２６】
出光面２２４から出光される光は、第１被表示部材としてのメディアシートＭを照射する。メディアシートＭは、導光板２２の出光面２２４側に配置されている。メディアシートＭは、拡散板２３の前面に透明及び／又は半透明なシートに避難誘導マークや避難場所の方向を指し示す矢印マーク、文字などが印刷される。本実施形態においては、メディアシートＭは、拡散板２３（後述）に貼付されている。これにより、出光面２２４から出光される光は、メディアシートＭを裏面側から照射する。このため、メディアシートＭは、裏面側（メディアシートＭが表示される面とは反対の面側）から、出光面２２４から出光される光に照射されることにより透過されて表示される。
【００２７】
ドット形成面２２３は、導光板２２における２つの対向する略長方形状に広がる面のうち、出光面２２４とは反対側の面である。ドット形成面２２３は、出光面２２４に平行に形成され、入光端部２２１と出光端部２２２とをつなぐ面に略平行に配置される。ドット形成面２２３には、複数のドットで構成されるドットパターンＤが形成される。ドットパターンＤは、導光板２２の内部に入光された光源２１からの光を出光面２２４側に反射させながら、導光板２２の内部に入光された光源２１からの光を入光端部２２１側から出光端部２２２側に導く。
【００２８】
ドットパターンＤは、例えば、シルク印刷方式、ドットパターンを形成した金型に樹脂を流し込む成形方式、プロッターで溝を削るＶ溝カット方式、レーザー波を照射してドットを形成するレーザー方式など任意の方式で形成することが出来る。本実施形態においては、ドットパターンＤを形成する方式として、レーザー波をドット形成面２２３に照射して白色のドットを形成するレーザー方式を用いている。
【００２９】
本実施形態においては、図３に示すように、ドットパターンＤのドット間の距離（ドット間のピッチ）Ｐａ及びＰｂは、例えば、１．５０ｍｍである。
【００３０】
ドットパターンＤは、図３及び図４に示すように、導光板２２における入光端部２２１から出光端部２２２までにおいて、最大ドット開始位置Ｓに向かうにしたがってドットの径の大きさが大きくなると共に、最大ドット開始位置Ｓから出光端部２２２まではドットの径の大きさが略一定である。
【００３１】
具体的には、本実施形態においては、ドットパターンＤの径の大きさは、次の通りである。ドットパターンＤは、図４に示すように、ドットパターンＤのグラフにおいて、入光端部２２１から最大ドット開始位置Ｓまでの範囲においては、ドットの径が次第に大きくなるように傾斜して形成される。詳細には、図３及び図４に示すように、入光端部２２１から距離が０〜１００ｍｍまでの範囲においては、ドット径がＲ１からＲ２（０．６２から０．７０ｍｍ）に増大する傾斜した直線状に形成される。入光端部２２１から距離が１００〜２６０ｍｍまでの範囲においては、ドット径がＲ２からＲ３（０．７０から０．７６ｍｍ）に増大する傾斜した直線状に形成される。入光端部２２１から距離が２６０〜３４０ｍｍまでの範囲においては、ドット径がＲ３からＲ４（０．７６から０．８０ｍｍ）に増大する傾斜した直線状に形成される。
【００３２】
また、ドットパターンＤは、最大ドット開始位置Ｓから出光端部２２２までの範囲においては、図４に示すように、ドットパターンＤのグラフにおいて、ドットの径が略同じとなる水平な直線状に形成される。詳細には、入光端部２２１から距離が３４０〜４００ｍｍまでの範囲においては、ドット径Ｒ４及びＲ５が０．８０ｍｍで略一定である。
【００３３】
なお、図４において、本実施形態においては、ドット径の大きさの分布について、Ｋ値（図４における左側の目盛り）及びＫ値に対応するドット径（図４における右側の目盛り）のグラフにより示している。本実施形態においては、Ｋ値とは、一定面積当たりに占めるドットの面積の割合を示している。Ｋ値は、ドットの径に対応している。Ｋ値が大きいほど、一定面積当たりに占めるドットの面積の割合が大きく、ドットの径が大きい。
【００３４】
図４に示すように、最大ドット開始位置Ｓは、入光端部２２１から出光端部２２２までの距離（４００ｍｍ）を１００％としたときに、入光端部２２１からの距離が、入光端部２２１側から８０〜８５％の距離（３２０〜３４０ｍｍ）の位置であることが好ましい。本実施形態においては、図４に示すように、最大ドット開始位置Ｓは、入光端部２２１側から８５％の距離（３４０ｍｍ）の位置である。
【００３５】
このように、ドットパターンＤについて、ドットの径を次第に増加させると共に最大ドット開始位置Ｓから出光端部２２２の範囲においてはドットの径の大きさを略同じ径に形成することで、出光面２２４から出光される光の照度を高く且つ照度ムラを抑制しつつ、出光端部２２２から出光される光の照度を高くすることができる。
【００３６】
拡散板２３は、図２に示すように、導光板２２の出光面２２４側に、出光面２２４から水平方向に離間して、出光面２２４に平行に配置される。拡散板２３は、出光面２２４に平行な板状に形成される。拡散板２３は、出光面２２４から照射された光を散乱及び拡散させる。拡散板２３は、出光面２２４から出光される光の全体を均一な明るさにすることができる。また、拡散板２３の前面には、メディアシートＭが配置されている。
【００３７】
反射シート２４は、図２に示すように、導光板２２に対してドット形成面２２３側に、水平方向に離間して、ドット形成面２２３に平行に配置される。反射シート２４は、ドット形成面２２３に平行なシート状に形成される。反射シート２４は、導光板２２のドット形成面２２３を通過して外部へ出る光を導光板２２の内部へ戻すように反射させて、光を出光面２２４側に向けて反射させる。これにより、反射シート２４は、出光面２２４から出光される光の照度を大きくすることができる。
【００３８】
光源２１は、図２に示すように、光源ケース２５に取り付けられている。光源ケース２５は、弾性部材２６により導光板２２側に付勢されている。光源２１は、光源ケース２５と共に、内枠体３１及び反射シート２４に沿ってスライド移動可能である。これにより、温度や湿度の変化による導光板２２の伸縮があっても、導光板２２の側面と光源２１との間隔は一定に維持される。従って、導光板２２の伸縮に起因する照度の変化を少なくすることができる。
【００３９】
第２表示装置３は、図１に示すように、避難誘導表示装置１の下方側に配置される。第２表示装置３は、面発光の表示部を備えて構成される。第２表示装置３により表示される被表示部材としては、例えば、広告等が印刷されたメディアシート等を挙げることができる。なお、第２表示装置３は、面発光の表示部により構成したが、これに制限されない。また、例えば、本実施形態において、第２表示装置３を備えていなくてもよい。
【００４０】
次に、本発明に係る第１表示装置２の作用について説明する。
以上のように構成される第１表示装置２においては、図２に示すように、光源２１からの光が導光板２２の入光端部２２１側から入光されることで、導光板２２は、光源２１から発せられて導光板２２の内部に入光された光を、導光板２２の内部における出光面２２４及びドット形成面２２３において反射させながら入光端部２２１から出光端部２２２へ導く。導光板２２を導かれて出光端部２２２まで導かれた光は、出光端部２２２から下方側の外部に向けて出射される。出光端部２２２から出射される光は、電子ペーパーＥを表面側（電子ペーパーＥが表示される面側）から照射する。これにより、電子ペーパーＥは、表面側（電子ペーパーＥが表示される面側）から、出光端部２２２から出光される光に照射されることにより表示される。
【００４１】
ここで、導光板２２の内部を入光端部２２１から出光端部２２２へ導かれる光は、ドット形成面２２３に形成されたドットパターンＤにより反射されながら、入光端部２２１側から出光端部２２２側へ導かれている。これにより、出光面２２４からは、面状の光が出光される。出光面２２４から出光される光は、メディアシートＭを裏面側から照射する。このため、メディアシートＭは、裏面側（メディアシートＭが表示される面とは反対の面側）から、出光面２２４から出光される光に照射されることにより透過されて表示される。なお、導光板２２により導かれる光の一部がドット形成面２２３を通過して外部に出射された場合には、外部に出射された光が反射シート２４で反射されて、再度、導光板２２の内部に入光されて、出光面２２４から出光される。
【００４２】
ここで、ドットパターンＤは、図４に示すように、導光板２２における入光端部２２１から出光端部２２２までにおいて、最大ドット開始位置Ｓに向かうにしたがってドットの径が大きくなると共に、最大ドット開始位置Ｓから出光端部２２２まではドットの径が略一定である。そのため、出光面２２４から出光される面状の光の照度を高くすることができると共に照度ムラを抑制しつつ、出光端部２２２から出光される光の照度を高くすることができる。
【００４３】
更に、最大ドット開始位置Ｓは、入光端部２２１からの距離が、入光端部２２１から出光端部２２２までの距離の８５％の距離の位置である。これにより、出光面２２４から出光される面状の光と、出光端部２２２から出光される光とのバランスを維持しながら、出光面２２４から出光される面状の光の照度を高くすることができると共に照度ムラを抑制しつつ、出光端部２２２から出光される光の照度を高くすることができる。
【００４４】
本実施形態の第１表示装置２によれば、例えば、以下のような効果が奏される。
本実施形態においては、光源２１と、光源２１からの光を導く導光板２２であって、入光端部２２１と、出光端部２２２と、ドットパターンＤが形成されるドット形成面２２３と、光源２１からの光がドットパターンＤに反射されて出光される出光面２２４と、を有する導光板２２と、を備え、出光面２２４から出光される光は、メディアシート（第１被表示部材）Ｍを照射しており、出光端部２２２から出光される光は、電子ペーパー（第２被表示部材）Ｅを照射しており、ドットパターンＤは、入光端部２２１から出光端部２２２までにおいて、最大ドット開始位置Ｓに向かうにしたがってドットの径が大きくなると共に、最大ドット開始位置Ｓから出光端部２２２まではドットの径が略一定である。
そのため、第１表示装置２において、出光面２２４からの面発光によりメディアシートＭを高い照度で且つ照度ムラを抑制した状態で照射することができると共に、出光端部２２２からの光の照射により電子ペーパーＥを高い照度で照射することができる。
【００４５】
また、最大ドット開始位置Ｓは、入光端部２２１からの距離が、入光端部２２１から出光端部２２２までの距離の８５％の距離の位置である。これにより、より一層、出光面２２４からの面発光によりメディアシートＭを高い照度で且つ照度ムラを抑制した状態で照射することができると共に、出光端部２２２からの光の照射により電子ペーパーＥを高い照度で照射することができる。
【００４６】
また、電子ペーパーＥが表示される面は、ドット形成面２２３と同一平面上の仮想平面に対して、導光板２２側とは反対側に、所定距離離間して配置される。そのため、出光端部２２２から出射される光は、電子ペーパーＥが表示される面に照射されやすい。これにより、出光端部２２２から出射される光により電子ペーパーＥを良好に照射することができる。
【００４７】
以上、本発明の第１表示装置２の好ましい実施形態について説明したが、本発明は、上述した実施形態に制限されるものではなく、適宜変更が可能である。
例えば、前記実施形態においては、避難誘導表示装置１に第１表示装置２を設けたが、これに制限されない。例えば、第１表示装置２をバス停の標識塔等に設けてもよい。
【００４８】
また、前記実施形態においては、第１被表示部材をメディアシートＭにより構成したが、これに制限されない。例えば、第１被表示部材として、拡散板２３の前面に直接印刷することにより拡散板２３に表示機能を持たせれば、メディアシートＭを用いなくてもよい。また、メディアシートＭでの表示に代えて、導光板２２に避難誘導マークや避難場所の方向を指し示す矢印マーク、避難場所までの距離を示す文字などを微小ドットで刻設することにより散光されるように構成し、光源からの光によって前記マーク、文字などの微小凹凸により光を乱反射させて、マーク、文字などが浮かび上がるように構成することもできる。
【００４９】
また、前記実施形態においては、第２被表示部材として、電子ペーパーＥを例に説明したが、これに制限されない。例えば、第２被表示部材として、紙媒体に印刷が施されたものでもよい。
【００５０】
また、前記実施形態においては、最大ドット開始位置Ｓを、入光端部２２１からの距離が、入光端部２２１から出光端部２２２までの距離の８５％の距離の位置としたが、これに制限されない。例えば、後述する実施例の中で説明するが、最大ドット開始位置Ｓを、入光端部２２１からの距離が、入光端部２２１から出光端部２２２までの距離の８０〜８５％の距離の位置としてもよい。
【００５１】
また、前記実施形態においては、電子ペーパーＥを、ドット形成面２２３と同一平面上の仮想平面に対して、導光板２２と反対側に、所定距離離間して配置したが、これに制限されない。例えば、電子ペーパーＥを、ドット形成面２２３と同一平面上の仮想平面に対して、電子ペーパーＥの前面が出光端部側に向くように所定角度傾けて配置してもよい。
【００５２】
また、前記実施形態においては、光源２１、導光板２２及び電子ペーパーＥを、上方側から下方側に向けてこの順に配置して構成しているが、並び順については、これに制限されない。例えば、光源２１、導光板２２及び電子ペーパーＥを、下方側から上方側に向けて順にこの順に配置して構成してもよく、光源２１、導光板２２及び電子ペーパーＥを、水平方向に並べて構成してもよい。
【実施例】
【００５３】
次に、本発明の実施例及び比較例について、図４〜図６を参照して説明する。ただし、本発明は、以下の実施例のみに限定されるものでない。図５は、比較例のドットパターンＤを示すグラフであって、（ａ）は比較例１のドットパターンＤを示すグラフであり、（ｂ）は比較例２のドットパターンＤを示すグラフであり、（ｃ）は比較例３のドットパターンＤを示すグラフである。図６は、実施例のドットパターンＤを示すグラフであって、（ａ）は実施例２のドットパターンＤを示すグラフであり、（ｂ）は実施例３のドットパターンＤを示すグラフである。
【００５４】
図１及び図２に示す構成の第１表示装置２を用いて、以下の条件において、試験を行った。
まず、導光板２２の大きさ及び電子ペーパーＥの大きさ等は、以下の通りである。
導光板２２の出光面２２４及びドット形成面の大きさ：４００ｍｍ（縦）×３００ｍｍ（横）
電子ペーパーＥの大きさ：２００ｍｍ（縦）×２４０ｍｍ（横）
導光板２２の出光端部２２２から電子ペーパーＥまでの距離：垂直方向の下方側に２０ｍｍ、ドット形成面２２３と同一平面上の仮想平面から水平方向の奥側に２０ｍｍ
【００５５】
次に、実施例１〜３、比較例１〜３における具体的なドットパターンＤの構成について説明する。実施例１〜３、比較例１〜３の主なドットパターンＤの構成について、表１に示す。
【００５６】
【表１】
0005875560.tif 000002
【００５７】
実施例１は、図４に示すように、最大ドット開始位置Ｓから出光端部２２２までのドットの径について、ドットパターンＤが傾斜しておらず水平である。また、実施例１は、図４に示すように、入光端部２２１から出光端部２２２までの距離を１００％とした場合に、入光端部２２１から最大ドット開始位置Ｓまでの距離が８５％である。
【００５８】
比較例１〜３は、図５（ａ）〜（ｂ）に示すように、最大ドット開始位置Ｓから出光端部２２２までのドットの径について、実施例１と比べて、ドットパターンＤが傾斜している。なお、比較例１〜３は、入光端部２２１から出光端部２２２までの距離を１００％とした場合に、実施例１と同様に、入光端部２２１から最大ドット開始位置Ｓまでの距離が８５％である。
【００５９】
詳細には、比較例１は、図５（ａ）に示すように、最大ドット開始位置Ｓから出光端部２２２までのドットの径について、最大ドット開始位置Ｓから出光端部２２２に向かうにしたがって下方側に向かうように直線状に傾斜しており、傾斜の傾きが、水平方向に対してマイナスα１の角度で傾いている。
比較例２は、図５（ｂ）に示すように、最大ドット開始位置Ｓから出光端部２２２までのドットの径について、最大ドット開始位置Ｓから出光端部２２２に向かうにしたがって下方側に向かうように直線状に傾斜しており、傾斜の傾きが、水平方向に対してマイナスα２の角度で傾いている。比較例２の水平方向に対する傾き角度α２は、比較例１の水平方向に対する傾き角度α１よりも大きい（α２＞α１）。
比較例３は、図５（ｃ）に示すように、最大ドット開始位置Ｓから出光端部２２２までのドットの径について、最大ドット開始位置Ｓから出光端部２２２に向かうにしたがって上方側に向かうように直線状に傾斜しており、傾斜の傾きが、水平方向に対してプラスβの角度で傾いている。
【００６０】
実施例２及び３は、図６（ａ）及び（ｂ）に示すように、最大ドット開始位置Ｓの位置を、実施例１と比べて、入光端部２２１側又は出光端部２２２側に移動させた場合である。なお、実施例２及び３は、最大ドット開始位置Ｓから出光端部２２２までのドットの径について、実施例１と同様に、ドットパターンＤが傾斜しておらず水平である。
【００６１】
詳細には、実施例２は、図６（ａ）に示すように、入光端部２２１から出光端部２２２までの距離を１００％とした場合に、入光端部２２１から最大ドット開始位置Ｓまでの距離が９０％である。
実施例３は、図６（ｂ）に示すように、入光端部２２１から出光端部２２２までの距離を１００％とした場合に、入光端部２２１から最大ドット開始位置Ｓまでの距離が８０％である。
【００６２】
＜評価項目、測定方法、評価方法＞
実施例１〜３及び比較例１〜３について、次の（ｉ）評価項目１、（ｉｉ）評価項目２及び（ｉｉｉ）評価項目３についての評価を行った。
【００６３】
（ｉ）評価項目１：メディアシートＭに照射される光の平均照度
評価項目１について、平均照度の測定方法としては、まず、図２に示す出光面２２４において、入光端部２２１からの距離が、５０ｍｍ、１００ｍｍ、１５０ｍｍ、２００ｍｍ、２５０ｍｍ、３００ｍｍ、３５０ｍｍの７ポイントにおいて、照度を測定する。平均照度は、測定した７ポイントにおける照度について、平均値を算出することにより求める。平均照度が高いほど、出光面２２４から出射される光によりメディアシートＭを明るく照らすことができると評価することができる。
（ｉｉ）評価項目２：メディアシートＭに照射される光の照度均斉度（照度ムラの測定）
評価項目２について、照度均斉度の測定方法としては、まず、図２に示す出光面２２４において、入光端部２２１からの距離が、５０ｍｍ、１００ｍｍ、１５０ｍｍ、２００ｍｍ、２５０ｍｍ、３００ｍｍ、３５０ｍｍの７ポイントにおいて、照度を測定する。照度均斉度は、測定した７ポイントにおける照度について、（最大値／最小値）を算出することにより求める。照度均斉度が小さいほど、照度ムラが抑制されていると評価することができる。
（ｉｉｉ）評価項目３：電子ペーパーＥに照射される光の照度
電子ペーパーＥにおける上方側から１００ｍｍの位置（縦の長さ２００ｍｍに対して中央の位置）において、出光端部２２２からの光により電子ペーパーＥに照射される照度を測定し、電子ペーパーＥに照射される光の照度を求める。電子ペーパーＥに照射される光の照度が高いほど、出光端部２２２から出射される光により電子ペーパーＥを明るく照らすことができると評価することができる。
【００６４】
表２〜表５に示す測定結果が得られた。表２及び３は、実施例１、比較例１〜３の測定結果である。表４及び５は、実施例２及び３の測定結果である。
【００６５】
【表２】
0005875560.tif 000003
【００６６】
【表３】
0005875560.tif 000004
【００６７】
【表４】
0005875560.tif 000005
【００６８】
【表５】
0005875560.tif 000006
【００６９】
まず、表２及び表３の測定結果により、実施例１及び比較例１〜３について評価する。実施例１及び比較例１〜３の評価は、ドットパターンＤについて、最大ドット開始位置Ｓから出光端部２２２までのドット径の傾きを変化させた場合において評価項目１〜３を評価するものである。
（ｉ）評価項目１（メディアシートＭに照射される光の平均照度）については、表２に示すように、比較例３は、平均照度が２９９２［ｌｕｘ］であり、実施例１及び比較例１〜３のうちで最も高い照度が確保されている。また、実施例１は、平均照度が２９７０［ｌｕｘ］であり、高い照度が確保されている。比較例１は、平均照度が２９４６［ｌｕｘ］であり、比較例２は、平均照度が２９２９［ｌｕｘ］である。比較例２は、実施例１及び比較例３よりも、メディアシートＭに照射される光の平均照度が低い。
【００７０】
（ｉｉ）評価項目２（メディアシートＭに照射される光の照度均斉度）については、表３に示すように、比較例３は、照度均斉度が１．４４であり、最も大きく、照度ムラが大きい。また、実施例１では１．４２であり、比較例１では１．４１であり、比較例２では１．４０であり、いずれも、照度ムラが抑制されている。
【００７１】
（ｉｉｉ）評価項目３（電子ペーパーＥに照射される光の照度）については、表２に示すように、実施例１及び比較例１〜３において、実施例１では３６１［ｌｕｘ］であり、比較例１では４１９［ｌｕｘ］であり、比較例２では３７８［ｌｕｘ］であり、比較例３では４１６［ｌｕｘ］であり、いずれも良好であった。
【００７２】
以上により、実施例１のドットパターンＤは、比較例１及び２よりも（ｉ）平均照度が高く、比較例３よりも（ｉｉｉ）照度均斉度が小さい。よって、比較例１〜３のドットパターンＤを採用するよりも、実施例１のドットパターンＤを採用する方が好ましいという結果が得られた。つまり、ドットパターンＤについて、最大ドット開始位置Ｓから出光端部２２２までのドット径の傾きは、実施例１のように、水平（傾斜なし）であることが好ましいという結果が得られた。
【００７３】
次に、表４及び表５の測定結果により、実施例１〜３について評価する。なお、実施例１の測定結果は、前述の通り、表２及び表３に示されている。実施例１〜３の評価は、ドットパターンＤについて、入光端部２２１から最大ドット開始位置Ｓまでの距離を変化させた場合において評価項目１〜３を評価するものである。
（ｉ）評価項目１（メディアシートＭに照射される光の平均照度）については、前述のように、表２に示すように、実施例１では平均照度が２９７０［ｌｕｘ］であり、実施例１〜３のうちで最も高い照度が確保されている。また、表４に示すように、実施例３では平均照度が２９６６［ｌｕｘ］であり、高い照度が確保されている。実施例２では平均照度が２７９９［ｌｕｘ］であり、実施例１及び３よりも、メディアシートＭに照射される光の平均照度が低い。
【００７４】
（ｉｉ）評価項目２（メディアシートＭに照射される光の照度均斉度）については、表５に示すように、実施例２では１．４１であり、実施例３では１．４２であり、実施例１では前述の通り１．４２であり、いずれも、照度ムラが抑制されている。
【００７５】
（ｉｉｉ）評価項目３（電子ペーパーＥに照射される光の照度）については、表４に示すように、実施例２及び３において、実施例２では４９８［ｌｕｘ］であり、実施例３では４１８［ｌｕｘ］であり、実施例１では前述の通り３６１［ｌｕｘ］であり、いずれも良好であった。
【００７６】
以上により、実施例２は、実施例１及び３よりも、メディアシートＭに照射される光の（ｉ）平均照度が低い。よって、実施例２のドットパターンＤを採用するよりも、実施例１及び実施例３のドットパターンＤを採用する方が好ましいという結果が得られた。つまり、ドットパターンＤについて、入光端部２２１から最大ドット開始位置Ｓまでの距離は、実施例１の８５％及び実施例３の８０％が好ましく、８０％〜８５％が好ましいという結果が得られた。
【符号の説明】
【００７７】
１  避難誘導表示装置
２  第１表示装置（表示装置）
２１  光源
２２  導光板
２２１  入光端部
２２２  出光端部
２２３  ドット形成面
２２４  出光面
Ｄ  ドットパターン
Ｅ  電子ペーパー（第２被表示部材）
Ｍ  メディアシート（第１被表示部材）
Ｓ  最大ドット開始位置
【図１】
0005875560.tif 000007
【図２】
0005875560.tif 000008
【図３】
0005875560.tif 000009
【図４】
0005875560.tif 000010
【図５】
0005875560.tif 000011
【図６】
0005875560.tif 000012